(57)【要約】【課題】本発明は、腰を屈めることなく食器類の出し入れができる使い勝手のよい安全な食器洗浄機を提供することを目的とする。【解決手段】本体７０の外枠４に引き出し収納自在に備えられ、食器類を出し入れする開口６を上側に有する洗浄槽５と、引き出された前記洗浄槽５を前記外枠４よりも高く上げ、前記外枠４に収納されるように前記洗浄槽５を低く下げる上げ下げ手段７を備え、前記上げ下げ手段はリンク機構と、このリンク機構に駆動力を伝達するベルト駆動機構を備えたことを特徴とする。【選択図】図１３
2007215881.tif 000002
【特許請求の範囲】
【請求項１】
本体の外枠に引き出し収納自在に備えられ、食器類を出し入れする開口を上側に有する洗浄槽と、引き出された前記洗浄槽の少なくとも前記開口を前記外枠よりも高く上げ、前記外枠に収納されるように前記洗浄槽を低く下げる、上げ下げ手段を備えたことを特徴とする食器洗い乾燥機。
【請求項２】
前記上げ下げ手段はリンク機構と、このリンク機構に駆動力を伝達するベルト駆動機構を備えたことを特徴とする請求項１記載の食器洗い乾燥機。
【請求項３】
前記リンク機構は移動操作軸を備え、この移動操作軸に前記ベルト駆動機構のベルトを固定する固定手段を設けたことを特徴とする請求項２記載の食器洗い乾燥機。
【請求項４】
前記ベルト駆動機構は、直流モータを駆動源とし、少なくともウォームギアを用いた減速する機構を備えたことを特徴とする請求項２，請求項３記載の食器洗い乾燥機。
【請求項５】
前記直流モータは、前記リンク機構の移動操作軸の当たりを避けるように斜めに傾斜して配置したことを特徴とする請求項４記載の食器洗い乾燥機。
【請求項６】
前記ベルト駆動機構の駆動部を前記リンク機構の前側に、従動部をリンク機構の後ろ側に配置したことを特徴とする請求項２乃至請求項５記載の食器洗い乾燥機。
【請求項７】
前記ベルト駆動機構の駆動部を前記リンク機構の後ろ側に、従動部を前記リンク機構の前側に配置したことを特徴とする請求項２乃至請求項５記載の食器洗い乾燥機。
【請求項８】
前記リンク機構の移動操作軸が前記ベルト駆動機構の駆動プーリと従動プーリ間で移動するベルトに固定手段により固定されて上げ下げ基台の一直線状の案内長溝を前後方向に移動するとき、前記ベルトは駆動プーリと従動プーリの上部を頂点とし、移動操作軸部分を谷とし、略Ｖ字型の形態となし、前記従動プーリと前記駆動プーリと前記ベルトに張力を掛けながら移動することを特徴とする請求項２乃至請求項７記載の食器洗い洗浄機。
【請求項９】
前記ベルト駆動機構の従動プーリを支える可動部材は、張力調整用部材で前後方向に移動し、固定体で上げ下げ基台に固定されることを特徴とする請求項２乃至請求項８記載の食器洗い乾燥機。
【請求項１０】
前記張力調整用部材は、修理用部材として本体に付属させたことを特徴とする請求項９記載の食器洗い乾燥機。
【請求項１１】
本体の外枠に引き出し収納自在に備えられ食器類を出し入れする開口を上側に有する洗浄槽と、引き出された前記洗浄槽の少なくとも前記開口を前記外枠よりも高く上げ前記外枠に収納されるように前記洗浄槽を低く下げる上げ下げ手段と、前記上げ下げ手段の速度をゆっくりにするダンパー機構を備えたことを特徴とする食器洗い乾燥機。
【請求項１２】
前記上げ下げ手段のリンク機構にダンパー機構を備え、前記上げ下げ手段の降下動作時において、リンク機構が下死点に到達する手前の高さから前記ダンパー機構により降下速度をゆっくりにすることを特徴とする請求項１１記載の食器洗い乾燥機。
【請求項１３】
前記リンク機構の下死点に到達する上下方向の移動量の半分の高さから前記ダンパー機構により降下速度をゆっくりにすることを特徴とする請求項１２記載の食器洗い乾燥機。
【請求項１４】
前記ダンパー機構は、前記リンク機構の移動操作軸の移動速度をゆっくりにするように設けたことを特徴とする請求項１２乃至請求項１３記載の食器洗い乾燥機。
【請求項１５】
前記リンク機構に備えられたベルト駆動機構のベルトが切断時に、前記洗浄槽が落下して食器類の破損事故が起こらないように、移動操作軸の移動速度をゆっくりにするダンパー機構を設けたことを特徴とする請求項１２記載の食器洗い乾燥機。
【発明の詳細な説明】
【技術分野】
【０００１】
本発明は、外枠（筐体）より洗浄槽を引き出して食器類を収納し、洗浄する食器洗い乾燥機の改良に関するものである。
【背景技術】
【０００２】
従来のこの種の食器洗い乾燥機は、台所のキッチンユニットに内装され、筐体より引き出す上面が開口した洗浄槽により、洗浄槽内の食器かごに食器を出し入れするものであるが、洗浄槽はキッチンユニットの天板（上板）よりも下がった位置に置かれるため食器類の出し入れでは、腰を屈め加減になるので使い勝手が良くないという課題を有していた。それを解決するため洗浄槽内の食器かごを水圧シリンダーによる駆動手段により昇降させ、食器かごの上昇位置において食器の出し入れができ、楽な姿勢で、腰への負担が軽減でき、使い勝手を良くするものが提案されている（例えば、特許文献１参照）。
【０００３】
【特許文献１】特開２００１−２２４５４７号公報
【発明の開示】
【発明が解決しようとする課題】
【０００４】
しかしながら、上記の従来技術において、台所のキッチンユニットに収納された食器洗い乾燥機の食器かごを駆動手段により昇降させるため、食器かごに収納された食器から落下する水滴や、残采が洗浄槽内に落下せず床に落下する恐れがある。
【０００５】
また、食器かごの水圧シリンダーによる昇降装置が洗浄槽内に配置してあるため、機械的な摺動部が洗浄水にまみれて摺動部の寿命を短くしている。また、洗浄後の食器に摺動部の潤滑油が付着する等の課題がある。
【０００６】
また、洗浄槽の前後の対向する部分に夫々１本配設された水圧シリンダーにより食器かごを昇降させるため、食器かごに載せる食器の重量のアンバランスにより上下動が不安定になる等の課題がある。
【０００７】
また、水道水の圧力を直接利用した水圧シリンダーで昇降するため、地域差や設置条件により圧力が異なり設置が限定される課題がある。
【０００８】
本発明は、上記の問題に鑑み、腰を屈めることなく食器類の出し入れができる使い勝手のよい動作が確実で信頼性の高い食器洗い乾燥機を提供することを目的とする。
【課題を解決するための手段】
【０００９】
本発明は上記の問題を解決するためになされたものであり、請求項１では本体の外枠に引き出し収納自在に備えられ、食器類を出し入れする開口を上側に有する洗浄槽と、引き出された前記洗浄槽の少なくとも前記開口を前記外枠よりも高く上げ、前記外枠に収納されるように前記洗浄槽を低く下げる、上げ下げ手段を備えたものである。
【００１０】
また、請求項２では前記上げ下げ手段はリンク機構と、このリンク機構に駆動力を伝達するベルト駆動機構を備えたものである。
【００１１】
また、請求項３では前記リンク機構は移動操作軸を備え、この移動操作軸に前記ベルト駆動機構のベルトを固定する固定手段を設けたものである。
【００１２】
また、請求項４では前記ベルト駆動機構は、直流モータを駆動源とし、少なくともウォームギアを用いた減速する機構を備えたものである。
【００１３】
また、請求項５では前記直流モータは、前記リンク機構の移動操作軸の当たりを避けるように斜めに傾斜して配置したものである。
【００１４】
また、請求項６では前記ベルト駆動機構の駆動部を前記リンク機構の前側に、従動部をリンク機構の後ろ側に配置したものである。
【００１５】
また、請求項７では前記ベルト駆動機構の駆動部を前記リンク機構の後ろ側に、従動部を前記リンク機構の前側に配置したものである。
【００１６】
また、請求項８では前記リンク機構の移動操作軸が前記ベルト駆動機構の駆動プーリと従動プーリ間で移動するベルトに固定手段により固定されて上げ下げ基台の一直線状の案内長溝を前後方向に移動するとき、前記ベルトは駆動プーリと従動プーリの上部を頂点とし、移動操作軸部分を谷とし、略Ｖ字型の形態となし、前記従動プーリと前記駆動プーリと前記ベルトに張力を掛けながら移動するものである。
【００１７】
また、請求項９では前記ベルト駆動機構の従動プーリを支える可動部材は、張力調整用部材で前後方向に移動し、固定体で上げ下げ基台に固定されるものである。
【００１８】
また、請求項１０では前記張力調整用部材は、修理用部材として本体に付属させたものである。
【００１９】
また、請求項１１では本体の外枠に引き出し収納自在に備えられ食器類を出し入れする開口を上側に有する洗浄槽と、引き出された前記洗浄槽の少なくとも前記開口を前記外枠よりも高く上げ前記外枠に収納されるように前記洗浄槽を低く下げる上げ下げ手段と、前記上げ下げ手段の速度をゆっくりにするダンパー機構を備えたものである。
【００２０】
また、請求項１２では前記上げ下げ手段のリンク機構にダンパー機構を備え、前記上げ下げ手段の降下動作時において、リンク機構が下死点に到達する手前の高さから前記ダンパー機構により降下速度をゆっくりにするものである。
【００２１】
また、請求項１３では前記リンク機構の下死点に到達する上下方向の移動量の半分の高さから前記ダンパー機構により降下速度をゆっくりにするものである。
【００２２】
また、請求項１４では前記ダンパー機構は、前記リンク機構の移動操作軸の移動速度をゆっくりにするように設けたものである。
【００２３】
また、請求項１５では前記リンク機構に備えられたベルト駆動機構のベルトが切断時に、前記洗浄槽が落下して食器類の破損事故が起こらないように、移動操作軸の移動速度をゆっくりにするダンパー機構を設けたものである。
【発明の効果】
【００２４】
本発明の食器洗い乾燥機は、上記のように構成したことにより、請求項１によれば、食器かごを内在した洗浄槽が昇降して、キッチンユニットのカウンタートップの高さまで上昇させることができ、楽な姿勢で食器の出し入れができ、使い勝手が非常に良い。
【００２５】
また、洗浄槽を昇降させることができるので、食器から落下する水滴や残采が床に落下することがない。
【００２６】
また、洗浄槽の外側に上下動させる摺動部があるため、摺動部の耐久性が高いとともに、食器に摺動部が触れることがない。
【００２７】
また、洗浄槽を下からリンク機構が支えて上下するので食器かごに載せる食器の重量にアンバランスが発生しても安定して上下動させることができる。
【００２８】
また、請求項２，請求項３によれば、洗浄槽を昇降させる上げ下げ手段の動作がスムーズに動作し安全で信頼性の高いものとすることができる。
【００２９】
また、請求項４によれば、直流モータを駆動源としているので、水道水の圧力を直接利用した水圧シリンダーで昇降するものに対して水道の配管が簡単であり、地域差や設置条件により設置が限定されることがない。
【００３０】
また、請求項５によれば、洗浄槽を昇降させる上げ下げ手段を小型に構成することが出来る。
【００３１】
また、請求項６によれば、駆動部に対する配線が短くなり効率の良い配線とすることが出来る。
【００３２】
また、請求項７によれば、駆動部の荷重が本体の後ろ側に掛かるため、横行移動手段への荷重の負担を減らすことが出来る。
【００３３】
また、請求項８によれば、洗浄槽を昇降させる上げ下げ手段の動作がよりスムーズに動作し安全で信頼性の高いものとすることができる。
【００３４】
また、請求項９によれば、ベルト駆動機構の動作の遊び部分を簡単に無くすことができるため、洗浄槽を昇降させる上げ下げ手段の動作がスムーズに動作し安全で信頼性の高いものとすることができる。
【００３５】
また、請求項１０によれば、ベルトの交換修理等でサービスする場合、作業の効率が向上できる。
【００３６】
また、請求項１１によれば、洗浄槽を昇降させる上げ下げ手段の動作をスムーズに動作させることができるため、安全で信頼性の高いものとすることができる。
【００３７】
また、請求項１２乃至請求項１５によれば、洗浄槽を昇降させる上げ下げ手段のリンク機構の下死点に到達する近辺の動作をスムーズに動作させることができるため、安全で信頼性の高いものとすることができるとともに、ベルトが切断時に洗浄槽が落下しても食器類の破損事故が起こらないようにすることが出来る。
【発明を実施するための最良の形態】
【００３８】
以下、本発明の一実施例を図１〜図１３を参照して説明する。図１は本発明の一実施例を示すキッチンユニットに内装された食器洗い乾燥機の外観斜視図、図２は同じく洗浄槽を外枠から引き出した状態を示す食器洗い乾燥機の斜視図、図３は同じく洗浄槽を外枠から引き出して持ち上げた状態を示す食器洗い乾燥機の斜視図、図４は同じく上げ下げ手段の下がった状態の斜視図、図５は同じく上げ下げ手段の上がった状態を示す斜視図、図６はベルト駆動機構の駆動部が本体後ろ側に配置された場合の食器洗い乾燥機の洗浄槽を外枠から引き出して持ち上げた状態を示す食器洗い乾燥機の斜視図、図７は食器洗い乾燥機のベルト駆動機構の駆動部の斜視図、図８は同じくベルト駆動機構のベルトの固定手段の斜視図、図９は同じくベルト駆動機構の従動部の斜視図、図１０は食器洗い乾燥機の上げ下げ手段が下がった状態での、ベルト駆動機構のベルトの経路を示す側面図、図１１は同じく上げ下げ手段が上がった状態での、ベルト駆動機構のベルトの経路を示す側面図、図１２はダンパー機構を備えた上げ下げ手段の下がった状態を示す斜視図、図１３はダンパー機構を備えた上げ下げ手段の上がった状態を示す斜視図である。
【００３９】
図において、キッチンユニット１は、上に上板（天板）２を有し、上板２の中央には落とし込みの流し部３が設けられている。また、キッチンユニット１には食器洗い乾燥機の本体７０が落とし込みの流し部３の下側に上板２から流し部３の丈分以上の下側に内装されている。
【００４０】
食器洗い乾燥機の本体７０は外枠４と洗浄槽５を有し、洗浄槽５は外枠４に引き出し収納自在に備えられ、上側に食器類を出し入れする開口６と、洗浄槽５を引き出したり押し込んだりするときに操作する握り部８０を有している。
【００４１】
洗浄槽５は、図１に示すように食器類を置く食器かご５０が内置され、また、図示されていないが、下部には洗浄水を噴射する回転ノズル体，洗浄水を回転ノズル体に供給する洗浄ポンプ，洗浄水を溜める水溜部を有する。
【００４２】
また、洗浄槽５は、前面に前面パネル６０を有し、前面パネル６０には、前面に洗浄操作部６１、上部には洗浄槽５を昇降させる昇降操作部６２が設けられており、洗浄操作部６１を操作して食器洗い乾燥機本体７０の運転が行われる。また、昇降操作部６２を操作して後述する洗浄槽５の昇降動作が行われる。洗浄槽５が持ち上げられると、図１に示すように、洗浄槽５の上部の開口６が外枠４の上面を超えて、キッチンユニット１の上板
（天板）２とほぼ同じ高さになるので、腰を屈めることなく食器類の出し入れができる。また、洗浄槽５を下げることで、キッチンユニット１内の外枠４に洗浄槽５を収納できる。
【００４３】
洗浄槽５の昇降動作を行う上げ下げ手段７は、図２，図３に示すように洗浄槽５の下側に配置され、左右の２箇所に配置された可動レール外２８ｂと可動レール中２８ａと固定レール２７で構成される横行移動手段２６によりスライドして外枠４に収納できるようになっている。そして、上げ下げ手段７は上げ下げ基台８を左右の枠受け材８ａ，８ｂで受け、可動レール外２８ｂ，可動レール中２８ａにツメを差込み、可動レール外２８ｂにネジで締結される。そして、可動レール外２８ｂは可動レール中２８ａの内側に、可動レール中２８ａは固定レール２７の内側に載って前後に移動することができる。このため、食器類が入った重い洗浄槽５を載置した上げ下げ手段７は、外枠４に対し円滑に引き出し収納が行われる。
【００４４】
上げ下げ手段７のリンク機構９は、図４，図５に示すように左右２箇所に備えられたリンクアーム９ａ，９ｂと、洗浄槽５を載置する載置ベース１０ａ，１０ｂと、載置ベース１０ａ，１０ｂに一直線状に設けられたガイド長溝２２と、上げ下げ基台８と、上げ下げ基台８の左右の側枠板に一直線状に設けられた案内長溝１９と、左右のリンクアーム９ａ，９ｂを支持軸１８を支点として回転するように設けられた支持軸１８と、左右のリンクアーム９ｂの一端部間を接続し案内長溝１９に沿って前後に移動する移動操作軸２０と、移動操作軸２０の両端部に設けられ案内長溝１９に入れられた回転ローラ２３ａと、左右のリンクアーム９ａの一端部に設けられガイド長溝２２に入れられた回転ローラ２３ｂと、左右のリンクアーム９ａ，９ｂの他端部間を接続し上げ下げ基台８と、載置ベース10ａ，１０ｂを接続する後軸棒体２５ａ，２５ｂと、ベルト駆動機構１４で構成されており、このリンク機構９により載置ベース１０ａ，１０ｂに載置された洗浄槽５は外枠４よりも高く持ち上げることができる。
【００４５】
リンク機構９の駆動力伝達手段であるベルト駆動機構１４は、図７，図８，図９に示すように、駆動部１１の直流モータ１１ａを支えるモータベース１２と、直流モータ１１ａの回転を出力する回転軸１１ｄと、回転軸１１ｄに有するモータギア１１ｂと、回転軸
１１ｄを支えるモータギアベース１１ｃと、モータギア１１ｂから回転を伝達する大型の駆動ギア１３ｂと、駆動ギア１３ｂの回転軸１３ｅと、回転軸１３ｅを支えるギアベース１３ｃと、回転軸１３ｅで回転する駆動プーリ１３ａと、駆動プーリ１３ａと回転軸13ｅを支えるプーリベース１３ｄと、モータベース１２とモータギアベース１１ｃとギアベース１３ｃとプーリベース１３ｄを組み立てるモータクミベース１３ｆと、移動操作軸２０の連結部２０ａに、ベルト１４ａを固定する固定手段１５と、従動部３０とで構成されている。
【００４６】
駆動力伝達手段であるベルト駆動機構１４は移動操作軸２０の連結部２０ａに、ベルト１４ａを固定する固定手段１５を有し、固定手段１５は、上側のベルト固定板１５ａの穴とベルト１４ａの穴と下側のベルト固定板１５ｂを貫通して連結部２０ａにて固定ネジ
１５ｃで固定する。連結部２０ａの下側には略半円形の滑り性の良いスベリイタ１６ａを有して構成している。
【００４７】
ベルト駆動機構１４の従動部３０は、ベルト１４ａの進行によって回転する従動プーリ３１と、従動プーリ３１が回転する軸回転軸３１ａと、回転軸３１ａを支える従動プーリベース３１ｂと、従動プーリベース３１ｂを組む可動ベース３１ｃにより従動プーリ３１を支えるようにした可動部材と、従動プーリベース３１ｂを連結しナット３１ｄを具備するナット台３１ｅと、可動ベース３１ｃが上で前後に可動することが出来る固定ベース
３３と、可動ベース３１ｃを固定ベース３３に固定する固定体３２と、可動ベース３１ｃに具備するナット３１ｄに通してネジの回転により前後に移動させてベルト１４ａに張力をかける位置に設定するための張力調整用部材３５とを有して構成している。
【００４８】
そして、可動ベース３１ｃは、可動ベース３１ｃに具備するナット３１ｄに通した張力調整用部材３５のネジの回転により前後に移動させられ、ベルト１４ａに張力が掛かる位置に設定され、固定体３２で可動ベース３１ｃを固定ベース３３に固定することにより、その後張力調整用部材３５を外してもベルト１４ａの張力は保たれる。なお、張力調整用部材３５は修理用部材として本体７０に付属させることにより、ベルト１４ａの交換修理等でサービスする場合作業の効率を向上させることができる。
【００４９】
ベルト駆動機構１４の駆動部１１は、直流モータ１１ａを駆動源とし、少なくともウォームギアを用い減速する機構を有し、例えば、交流電源をトランスで直流の低い電圧に変換して始動時及び停止時の出力調整を行うものである。
【００５０】
そして、駆動部１１の直流モータ１１ａは、移動操作軸２０が移動するストロークの範囲に位置するため、直流モータ１１ａを斜めに傾斜させて移動操作軸２０への当りを防止し、尚且つ、駆動部１１の出力軸の高さ位置を極力下げる構成としている。このことにより、洗浄槽５を昇降させる上げ下げ手段７を小型に構成することが出来る。
【００５１】
ベルト駆動機構１４の駆動部１１は、図２，図３に示すように、リンク機構９の上げ下げ基台８の前側に配置してあり、従動部３０は上げ下げ基台８の後側に配置してある。そして、ベルト１４ａは駆動部１１からベルト１４ａの上側に移動操作軸２０の固定手段
１５を配置した後、従動部３０にベルト１４ａが係り、駆動部１１に戻り一周するように配置されており、このため駆動部１１が昇降操作部６２の近傍に配置されるため、駆動部１１と昇降操作部６２を接続している配線が短くなり、駆動部１１への電源等の配線が効率よく行うことが出来る。また、図６に示すように、ベルト駆動機構１４の駆動部１１を、リンク機構９の上げ下げ基台８の後側に配置し、従動部３０を上げ下げ基台８の前側に配置すると、駆動部１１の荷重が上げ下げ基台８の後側に掛かるため、横行移動手段２６への荷重の負担を減らすことが出来る。
【００５２】
ベルト駆動機構１４のプーリベース１３ｄの回転軸１３ｅの中心高さは、図１０，図
１１に示すように、上げ下げ基台８を基準とするとｔ１である。したがって、駆動プーリ１３ａのベルト１４ａが係る部分の直径をφｄ１とすると、駆動プーリ１３ａの上部頂点の高さは、ｔ１＋（φｄ１／２）となる。
【００５３】
また、ベルト駆動機構１４の移動操作軸２０が回転ローラ２３で案内長溝１９の案内長溝中心線１９ａに沿って前後方向に移動する案内長溝中心線１９ａの高さは、上げ下げ基台８を基準とするとｔ２である。したがって、移動操作軸２０の連結部２０ａの略真中に上側のベルト固定板１５ａと下側のベルト固定板１５ｂ，固定ネジ１５ｃで固定されたベルト１４ａの高さを上げ下げ基台８を基準とするとｔ３であり、案内長溝中心線１９ａの高さｔ２とベルト１４ａの高さｔ３はｔ２≒ｔ３である。
【００５４】
また、ベルト駆動機構１４の従動部３０の従動プーリ３１が回転する回転軸３１ａの中心高さは、上げ下げ基台８を基準とするとｔ４である。したがって、従動プーリ３１のベルト１４ａが係る部分の直径をφｄ２とすると、従動プーリ３１の上部頂点の高さはｔ４＋（φｄ２／２）となる。
【００５５】
そして、駆動プーリ１３ａの上部頂点の高さｔ１＋（φｄ１／２）と、ベルト１４ａの高さｔ３と、従動プーリ３１の上部頂点の高さｔ４＋（φｄ２／２）との関係は、ｔ１＋（φｄ１／２）＞ｔ３、且つ、ｔ４＋（φｄ２／２）＞ｔ３の高さ関係に有り、駆動プーリ１３ａと従動プーリ３１の上部を頂点として、移動操作軸２０の部分が谷になり、略Ｖ字型の形態で従動プーリ３１と駆動プーリ１３ａとベルト１４ａに張力を掛けるようにしている。これによって、ベルト駆動機構１４の動作の遊び部分を無くすことができるため、洗浄槽５を昇降させる上げ下げ手段７の動作がスムーズに動作し、安全で信頼性の高いものとすることができる。
【００５６】
図１２，図１３は、ベルト駆動機構１４の駆動部１１を、上げ下げ基台８の前側に配置し、従動部３０を上げ下げ基台８の後側に配置し、さらに上げ下げ基台８の前側にダンパー機構４０を左右２箇所に配置した構成のものである。図に示すように、ダンパー機構
４０は、ダンパー支え組４１が、上げ下げ基台８に固定され、ダンパーボデイ４０ａが、前記ダンパー支え組４１に固定され、ピン４０ｂがダンパーボデイ４０ａのガイド穴中心部を通している。ピン４０ｂの先端には、移動操作軸２０を受ける受け部４０ｃを有している。そして、移動操作軸２０の移動方向と同一方向に、ピン４０ｂがダンパーボデイ
４０ａのガイド穴を摺動して移動操作軸２０の移動する勢いを吸収するようにしている。本実施例では移動操作軸２０の移動量の約半分Ｌ１のところから前記ダンパー機構４０のピン４０ｂがダンパーボデイ４０ａのガイド穴中心部を摺動して、移動操作軸２０の勢いを吸収するものである。このようにすることにより、リンク機構９の上下方向が下がって下死点に到達する手前の高さから下がる速度が速くなり、リンク機構９の移動操作軸２０の移動速度が速くなる部分に、ダンパー機構４０により移動操作軸２０の移動速度をゆっくりにして、下死点に到達する近辺の動作をスムーズに動作させて停止させることができる。
【００５７】
なお、ダンパー機構４０は上げ下げ手段７の降下速度をゆっくりにするだけでなく、上昇速度をゆっくりにするように配設しても、上げ下げ手段７が上昇して停止するときの速度をゆっくりにすることができ、同様の効果が得られる。
【００５８】
また、例えばベルト１４ａが何らかの原因により切断した場合、移動操作軸２０の移動速度をダンパー機構４０によりゆっくりにし、持ち上げられた洗浄槽５が落下して洗浄槽５内に収納した食器類が破損する等の事故が起こらないようにすることができる。
【００５９】
また、ダンパー機構４０は上記構成に限定されるものではなく、上げ下げ手段７の移動速度をゆっくりにする機構であればなんでもかまわない。
【００６０】
次に以上の構成における動作を説明する。食器かご５０に食器を出し入れする際は、使用者は洗浄槽５のハンドル８０を持って、洗浄槽５の下側の左右の２箇所に配置された可動レール外２８ｂと可動レール中２８ａと固定レール２７で構成される横行移動手段２６によりスライドさせて外枠４から手前に引き出し、洗浄槽５の前面パネル６０の上部に備えられた昇降操作部６２を操作して洗浄槽５の昇降動作を行う。
【００６１】
洗浄槽５は、ベルト駆動機構１４の直流モータ１１ａの回転により、モータギア１１ｂと駆動ギア１３ｂと駆動ギア１３ｂとともに回転する駆動プーリ１３ａにより、ベルト
１４ａが駆動され、ベルト１４ａの進行によって従動部３０の従動プーリ３１との間で回転し、ベルト１４ａに固定手段１５で固定された移動操作軸２０が回転ローラ２３で案内溝１９に沿って前後方向に移動することにより、リンクアーム９ａ，９ｂは、支持軸１８を支点として回転し、リンクアーム９ａ，９ｂが立ち上がった状態になると、載置ベース
１０ａ，１０ｂに載置された洗浄槽５は外枠４より高く上に持ち上げられる。逆に、リンクアーム９ａ，９ｂが横に倒れた状態になると、洗浄槽５は下げられる。
【００６２】
洗浄槽５が外枠４より高く持ち上げられると、図１に示すように洗浄槽５の上部の開口６がキッチンユニット１の上板（天板）２とほぼ同じ高さになるので、腰を屈めることなく食器類の出し入れができ、使い勝手が良いものである。そして、洗浄槽５を下げることで、キッチンユニット１内の外枠４に洗浄槽５を収納できる。
【００６３】
このように、食器かご５０を内在した洗浄槽５が昇降して、キッチンユニット１のカウンタートップの高さまで上昇させることができ、楽な姿勢で食器の出し入れができ、使い勝手が非常に良い。
【００６４】
また、洗浄槽５を昇降させることができるので、食器から落下する水滴や残采が床に落下することがない。
【００６５】
また、洗浄槽５の外側に上下動させる摺動部があるため、摺動部の耐久性が高いとともに、食器に摺動部が触れることがない。
【００６６】
また、洗浄槽５を下からリンク機構９が支えて上下するので食器かごに載せる食器の重量にアンバランスが発生しても安定して上下動させることができる。
【００６７】
また、洗浄槽５を昇降させる上げ下げ手段７の動作がスムーズであり信頼性が高く、小型に構成することが出来る。
【００６８】
また、直流モータ１１ａを駆動源としているので、水道水の圧力を直接利用した水圧シリンダーで昇降するものに対して水道の配管が簡単であり、地域差や設置条件により設置が限定されることがない。
【００６９】
また、ベルト１４ａの交換修理等でサービスする場合、作業の効率が向上できる。
【００７０】
また、洗浄槽５を昇降させる上げ下げ手段７のリンク機構９の下死点に到達する近辺の動作をスムーズに動作させることができるため、安全で信頼性の高いものとすることができるとともに、ベルト１４ａが切断時に洗浄槽５が落下しても食器類の破損事故が起こらないようにすることが出来る
【図面の簡単な説明】
【００７１】
【図１】本発明の一実施例を示すキッチンユニットに内装された食器洗い乾燥機の外観斜視図である。
【図２】本発明の一実施例を示す食器洗い乾燥機の洗浄槽を外枠から引き出した状態を示す食器洗い乾燥機の斜視図である。
【図３】同じく洗浄槽を外枠から引き出して持ち上げた状態を示す食器洗い乾燥機の斜視図である。
【図４】同じく上げ下げ手段の下がった状態の斜視図である。
【図５】同じく上げ下げ手段の上がった状態を示す斜視図である。
【図６】ベルト駆動機構の駆動部が本体後ろ側に配置された場合の食器洗い乾燥機の洗浄槽を外枠から引き出して持ち上げた状態を示す食器洗い乾燥機の斜視図である。
【図７】食器洗い乾燥機のベルト駆動機構の駆動部の斜視図である。
【図８】同じくベルト駆動機構のベルトの固定手段の斜視図である。
【図９】同じくベルト駆動機構の従動部の斜視図である。
【図１０】食器洗い乾燥機の上げ下げ手段が下がった状態での、ベルト駆動機構のベルトの経路を示す側面図である。
【図１１】同じく上げ下げ手段が上がった状態での、ベルト駆動機構のベルトの経路を示す側面図である。
【図１２】ダンパー機構を備えた上げ下げ手段の下がった状態を示す斜視図である。
【図１３】ダンパー機構を備えた上げ下げ手段の上がった状態を示す斜視図である。
【符号の説明】
【００７２】
４…外枠、５…洗浄槽、６…開口、７…上げ下げ手段、８…上げ下げ基台、９…リンク機構、１１…駆動部、１１ａ…直流モータ、１３ａ…駆動プーリ、１４…ベルト駆動機構、１４ａ…ベルト、１５…固定手段、１９…案内長溝、２０…移動操作軸、３０…従動部、３１…従動プーリ、３２…固定体、３５…張力調整部材、４０…ダンパー機構、７０…本体。
【図１】
2007215881.tif 000003
【図２】
2007215881.tif 000004
【図３】
2007215881.tif 000005
【図４】
2007215881.tif 000006
【図５】
2007215881.tif 000007
【図６】
2007215881.tif 000008
【図７】
2007215881.tif 000009
【図８】
2007215881.tif 000010
【図９】
2007215881.tif 000011
【図１０】
2007215881.tif 000012
【図１１】
2007215881.tif 000013
【図１２】
2007215881.tif 000014
【図１３】
2007215881.tif 000015